(57)【要約】【課題】  広くユーザの要求を満たすことのできる写真撮影装置を提供する。【解決手段】  光源４１は反射部８を照明することで、間接的に被写体９０を照明する。反射部８が放物形状を備えることで、その焦点から照明すると被写体９０は平行に照明され、無皆向性の光源の場合は、四方に回り込んで被写体９は証明される。このため、直接光とは異なる効果の奏する写真を得ることができる。また、被写体９０の前方より光源４１が色温度の低い光線で照明し、後方より光源４２が光透過性を備えたカーテン２を介して、色温度の高い光線で照明することで、背景と被写体９０との境界線が抽出し易い画像データを得ることができる。このため、多様な画像処理を行なうことのできる画像データを得ることができる。【選択図】        図１３
2005099818.tif 000002
【特許請求の範囲】
【請求項１】
被写体を撮影する撮影手段と、
前記被写体を前方より照明する第１の照明手段と、
前記被写体の背後に備えられる光透過性のスクリーンを介して、前記被写体を後方より照明する第２の照明手段と、
前記撮影手段で撮影された撮影画像より、前記被写体の画像を抽出する抽出手段とを備え、
前記第１の照明手段と、前記第２の照明手段との照明光の色温度が異なるように設定されていることを特徴とする、写真撮影装置。
【請求項２】
前記第１の照明手段と前記第２の照明手段との少なくとも一方は、間接的に照明する、請求項１に記載の写真撮影装置。
【発明の詳細な説明】
【技術分野】
【０００１】
この発明は写真撮影装置に関し、特に、広くユーザの要求を満たす写真を提供することのできる写真撮影装置に関する。
【背景技術】
【０００２】
コイン等の対価を投入することで、自動的に使用者の写真を撮影しプリントする写真自動販売機や、さらに撮影された使用者の画像と予め記憶されている画像であって使用者から選択された画像とを組合せた写真をプリントする写真自動販売機などが広く知られている。
【０００３】
そのような写真自動販売機などに用いられている写真撮影装置では、ユーザなどの被写体の正面から被写体を照明するのが一般的である。
【発明の開示】
【発明が解決しようとする課題】
【０００４】
しかしながら、上述の照明では、被写体の瞳に照明が写り込んだり、所望しない影が写り込んだりする問題があり、そのような問題のない写真が要求される場合がある。また逆に、特定の方向の影が写り込む写真が要求される場合もある。さらに、昨今では、画像処理を行なうことのできる画像データが要求される場合もある。
【０００５】
本発明は、このようなユーザの様々な要求に鑑みてなされたものであり、広くユーザの要求を満たすことのできる写真撮影装置を提供することを目的とする。
【課題を解決するための手段】
【０００６】
上記目的を達成するために、本発明のある局面に従うと、写真撮影装置は、被写体を撮影する撮影手段と、被写体を前方より照明する第１の照明手段と、被写体の背後に備えられる光透過性のスクリーンを介して、被写体を後方より照明する第２の照明手段と、撮影手段で撮影された撮影画像より、被写体の画像を抽出する抽出手段とを備え、第１の照明手段と、第２の照明手段との照明光の色温度が異なるように設定されていることを特徴とする。
【０００７】
また、上述の第１の照明手段と第２の照明手段との少なくとも一方は、間接的に照明することが望ましい。
【発明を実施するための最良の形態】
【０００８】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【０００９】
［第１の実施の形態］
図１は、本発明の第１の実施の形態における写真撮影装置の構成の１つを示す図である。本実施の形態においては、図１を参照して、写真撮影装置は、写真自動販売機の中に設置されているものとして説明を行なう。
【００１０】
図１に示される写真撮影装置は、カメラ３と、光源４と、制御部５と、操作部６と、表示部７と、反射部８と、遮光板１０とを含む。
【００１１】
これらの写真撮影装置は、筐体１に設置され、写真自動販売機を構成する。さらに写真自動販売機は、カーテン２を被写体９０の背後に備え、背景の色彩や画像を提供することができる。なお、カーテン２に替えて、扉が備えられていてもよい。
【００１２】
被写体９０であるユーザ９は、コントローラなどから構成される操作部６を用いて、撮影に関するさまざまな指示などを行なう。
【００１３】
操作部６によって入力されたユーザ９の指示は、制御部５に送られる。制御部５は、写真撮影装置全体の制御を行なう。また、表示部７は、ディスプレイなどから構成され、カメラ３で撮影された被写体９０の画像を表示することができる。さらに表示部７がタッチパネル式のディスプレイから構成される場合は、ユーザ９の指や、操作部６を構成する入力ペンなどでタッチすることにより、撮影に関する指示などを入力することもできる。
【００１４】
カメラ３は、図１に示される如く、１つのカメラから構成されてもよいし、複数のカメラから構成されてもよい。カメラ３が複数のカメラを備える場合は、カメラは異なった方向または位置から被写体９０の撮影を行なうことができる。この場合ユーザ９は、表示部７に表示された撮影画像を確認して、操作部６より、どのカメラから撮影するかを選択してもよい。
【００１５】
反射部８は、被写体９０の、撮影方向の正面に備えられ、光源４から発せられた光線を反射する。反射部８は、図１に示される如く、被写体９０とほぼ同じ大きさであることが望ましい。光源４から発せられた光線を反射し、被写体９０全体を満遍なく照明するためである。
【００１６】
光源４は、反射部８に向かう方向で備えられ、反射部８を照明する。光源４から発せられた光線が反射部８で反射されることで、光源４は、被写体９０を間接的に照明する。光源４は、ストロボ光源であってもよいし、電灯光源であってもよい。また、光源４には複数の光源が含まれてもよい。
【００１７】
また、遮光板１０は、光源４と被写体９０の間に備えられ、光源４から発せられた光線が、直接被写体９０を照明することを防ぐための板である。その形状は限定されないが、光源４から被写体９０に対する直接光を遮断するために、光源４により近い位置に備えられることが望ましい。なお、図１においては、光源４が、カメラ３および遮光板１０と一体となっている構成が示されているが、その構成に限定されず、一体でなく、離れた構成であってもよい。また、以降の図においても、同様に、光源４、カメラ３および遮光板１０が一体である構成に限定されるものではない。
【００１８】
本実施の形態における写真撮影装置は、光源４が、反射部８によって、被写体９０を間接的に照明することを特徴とする。
【００１９】
このように反射部８を用いて被写体９０を間接的に照明することで、被写体９０を直接照明する場合とは異なる陰影を奏する写真を得ることができる。具体的には、被写体９０の肌や被服に直接反射する光による撮影ではないため、被写体９０の肌や被服の色を自然に近い色合いで撮影することができる。また、遮光板１０に遮られて、光源４を被写体９０が直に見ることがないため、被写体９０の瞳に光源４の写込みの少ない写真を得ることができる。
【００２０】
上述の写真撮影装置の設置された写真自動販売機においては、ユーザ９は、図１に図示されていないコイン投入口などから対価を投入し、操作部６を操作することによって表示部７に静止画像が表示される。さらにユーザ９が操作部６を操作することによって表示された静止画像が、写真としてプリントされ、図１に図示されない写真排出口から排出される。これら一連の処理は、制御部５が記憶装置に記憶されているプログラムを実行することで実現される。
【００２１】
なお、上述の、写真自動販売機における写真撮影処理は、一般的な写真自動販売機における処理と同様であるため、ここでの詳細な説明は行なわない。
【００２２】
第１の実施の形態においては、反射部８による光源４の照明の反射についての具体的な形態を実施例に挙げて、以下に説明を行なう。
【００２３】
［実施例１］
図２は、第１の実施の形態の実施例１における写真撮影装置の具体例を示す概略図である。図２は、図１に示される写真撮影装置を真上から見た状態の写真撮影装置を示す図である。
【００２４】
図２を参照して、本実施の形態における反射部８は、横方向に放物形状を奏する円筒方物反射面である。放物形状の特徴として、その焦点に光源を置くことで、平行光線を得ることができる。したがって、反射部８が放物形状であることより、光源４から反射部８に対して発せられた光線は、反射部８によって反射し、ほぼ平行に、被写体９０に対して進む。
【００２５】
実施例１において、写真撮影装置が上述の形状を有することで、光源４を放物線の焦点に備え、反射部８を照明するだけで、被写体９０を正面からほぼ平行に照明することができる。このため、屋外で、太陽光の下で撮影されたような、自然な色合いの写真を得ることができる。
【００２６】
［変形例］
変形例における写真撮影装置は、上述の実施例１で図２に示された横方向に放物形状を奏する反射部８に替えて、縦方向に放物形状を奏する反射部８を備える。
【００２７】
図３は、第１の実施の形態の実施例１の変形例における写真撮影装置の具体例を示す概略図である。図３は、図１に示される写真撮影装置を真横から見た状態の写真撮影装置を示す図である。
【００２８】
このような形状の反射部８を備える写真撮影装置であっても、光源４から反射部８に対して発せられた光線は、反射部８によって反射し、ほぼ平行に、被写体９０に対して進むため、実施例１における効果と同様の効果を得ることができる。
【００２９】
［実施例２］
図４は、第１の実施の形態の実施例２における写真撮影装置の具体例を示す概略図である。図４（ａ）は上述の場合の写真撮影装置における光線の拡散の状態を表わす図であり、図１に示される写真撮影装置を真上から見た状態の写真撮影装置を示す図である。図４（ｂ）は上述の場合において撮影された写真の具体例を示す図である。
【００３０】
図４（ａ）を参照して、実施例２における反射部８は、横方向に放物形状を奏する円筒方物反射面である。
【００３１】
光源４は、電灯光源である場合は無皆向性の光源であり、ストロボ光源である場合は、光源４に複数の光源を含むことで無皆向性の光源となる。
【００３２】
実施例２において光源４は、複数の光源を含むことで無皆向性である光源とする。図４（ａ）に示される場合においては、光源４は、正面および左右の３方向の光源を含むものとする。実施例１においては、光源４を反射部８の放物線の焦点に備えることで、被写体９０をほぼ平行の光線で照明したが、本実施例においては、光源４は放物線の焦点に備えられると限定されなくてもよい。このため、光源４から発せられた光線は、反射部８によって拡散されて反射し、四方から回り込んで被写体９０に対して進む。
【００３３】
実施例２において、写真撮影装置が上述の形状を備えることで、無皆向性の光源４から反射部８を照明するだけで、被写体９０に対して回り込んで照明を当てることができる。このため、図４（ｂ）を参照して、影の写り込みが少なく、美しい写真を得ることができる。
【００３４】
［変形例］
上述の実施例２に示される写真撮影装置において、光源４に含まれる複数の光源の内、特定の方向の光源のみＯＮまたはＯＦＦにして撮影することもできる。光源のＯＮまたはＯＦＦは、常時一定のサイクルで行なわれてもよいし、自動的に行なわれてもよい。また、操作部６から入力されるユーザの指示によって行なわれてもよい。光源４の照明は、制御部５によって制御される。なお、光源４がストロボ光源である場合は、制御部５は同期制御手段を有し、カメラ３の撮影手段に同期して、光源４の照明を行なう。
【００３５】
図５は、図４に示される写真撮影装置の光源４の内、左向きの光源をＯＦＦした場合の具体例を示す図である。図５（ａ）は上述の場合の写真撮影装置における光線の拡散の状態を表わす図であり、図５（ｂ）は上述の場合において撮影された写真の具体例を示す図である。
【００３６】
図５（ａ）を参照して、左向きの光源をＯＦＦした場合、図４に示される全方向の光源をＯＮした場合と比較して、左方向に反射して直進する光線が減少する。そのため、図５（ｂ）に示される如く、被写体９０が正面を向いて撮影を行なった場合、被写体９０の左側に影のある写真を得ることができる。
【００３７】
また、図６は、図４に示される写真撮影装置の照明の内、右向きの光源をＯＦＦした場合の具体例を示す図である。図５と同様に、図６（ａ）は上述の場合の写真撮影装置における光線の拡散の状態を表わす図であり、図６（ｂ）は上述の場合において撮影された写真の具体例を示す図である。
【００３８】
図６（ａ）を参照して、図５に示された場合と同様に、右向きの光源をＯＦＦした場合、図４に示される全方向の光源をＯＮした場合と比較して、右方向に反射して直進する光線が減少する。そのため、図６（ｂ）に示される如く、被写体９０が正面を向いて撮影を行なった場合、被写体９０の右側に影のある写真を得ることができる。
【００３９】
さらに図７〜図９は、図４に示される写真撮影装置の照明の内、左向きの光源のみＯＮした場合（図７）、右向きの光源のみＯＮした場合（図８）、および正面向きの光源のみＯＮした場合（図９）の具体例を示す図である。図７〜図９に具体例を示された場合においても、上述と同様に、異なった影のある写真（図示せず）を得ることができる。
【００４０】
影の方向に応じて、被写体９０の形状（被写体９０が使用者９の場合には表情）の左右差などによっては、その形状や表情が鮮明になり引立つ場合もある。そのため、被写体９０に応じた照明を行なうことが要求される場合もある。実施例２において図４に示された写真撮影装置が上述の変形例に示されるように作用することで、使用者９は、撮影時の影のでき方を任意にコントロールすることができる。そのため、被写体９０の表情の引立つ写真を得ることができる。
【００４１】
［実施例３］
図１０は、第１の実施の形態の実施例３における写真撮影装置の具体例を示す概略図である。図１０は、図１に示される写真撮影装置を真横から見た状態の写真撮影装置を示す図である。
【００４２】
図１０を参照して、実施例３における反射部８は、実施例１の変形例において説明された反射部８と同様に、縦方向に放物形状を奏する。反射部８が上述の形状を奏する場合に得られる効果については、先に説明を行なった通りであるため、ここでの説明は繰返さない。
【００４３】
さらに実施例３において、カメラ３は上下方向に移動する。移動は、図１および図１０には図示されていないレールに沿って、モータなどの移動装置を用いて行なわれてもよいし、クレーン等の移動装置を用いて行なわれてもよい。
【００４４】
また、カメラ３は上下動に伴って、被写体９０が撮影範囲の中心にとらえられるように、その向きも変化する。すなわち、カメラ３が被写体９０より上位置に移動した場合、カメラ３はやや下を向くことで被写体９０を撮影範囲にとらえ、また、被写体９０より下位置に移動した場合、カメラ３はやや上を向くことで被写体９０を撮影範囲にとらえる。
【００４５】
上述のカメラ３の移動は、常時一定のサイクルで行なわれてもよいし、自動的に行なわれてもよい。また、操作部６から入力されるユーザの指示によって行なわれてもよい。さらにカメラ３の向きは、カメラ３の上下の位置によって自動的に定められているものであってもよいし、センサなどで被写体９０の位置を感知して設定されてもよい。また、操作部６から入力されるユーザの指示によって設定されてもよい。
【００４６】
さらに、実施例３においては、カメラ３の移動に伴って光源４も移動する。また、カメラ３の向きに応じて、光源４の向きも変化する。すなわち、光源４はカメラ３と同じ上下位置に移動し、カメラ３と反対方向を向くよう変化する。具体的には、カメラ３が被写体９０上よりも位置に移動しやや下向きに設定された場合、光源４はこれに伴って上位置に移動し、やや上向きに反射部８を照明する。またこの逆の場合も同様である。これは、光源４がカメラ３と一体の構造であることによって実現されるものであってもよいし、光源４に移動手段や向き調整手段が備わる場合、それらの手段が、カメラ３の移動や向きに連動した手段であることによって実現されてもよい。なお、カメラ３の上下動に伴う光源４からの光線をより有効に活用するため、写真撮影装置が設置されている写真自動販売機の筐体１の床面部は、白色に近い反射率の高い色彩が施されていることが望ましい。
【００４７】
実施例３において、写真撮影装置が上述の構造を備えることで、使用者９は、任意の位置から撮影された写真を得ることができる。その際、被写体９０のカメラ３に近い位置が、より反射部８に光線が反射され、より明るく照明される。一般的にカメラに近い位置の照明が明るい方が鮮明な美しい写真を撮影できる場合が多いため、使用者９が任意の位置にカメラ３を移動させても、自動的に最適な照明を得ることができ、鮮明な美しい写真を得ることができる。
【００４８】
なお、実施例３においては、縦方向のカメラ３および光源４の移動について説明を行なったが、横方向に移動する場合であっても同様の効果を得ることができる。
【００４９】
第１の実施の形態における写真撮影装置が、以上の実施例１〜実施例３に示される構造を備え、動作を行なうことで、間接照明を用いた様々な効果を有する写真をユーザに提供することができる。これによって、広くユーザの要求を満たす写真を提供することができる。
【００５０】
なお、第１の実施の形態における写真撮影装置が、以上の実施例１〜実施例３に示される構造を組合せて備えていてもよい。すなわち、写真撮影装置が、図２および図３に示される反射部８の構造を組合せて、図１１に示される、縦横方向に放物形状の反射部８を備えていてもよい。図１１は、縦横方向に放物形状の反射部８を備える写真撮影装置の概略図である。この場合、図１１には図示されない光源４が反射部８を照明することで、光源４から発せられた光線は、反射部８によって四方に拡散し、被写体９０をより明るく影なく撮影することができる。
【００５１】
［第２の実施の形態］
第２の実施の形態においては、さらに広くユーザの要求を満たすため、画像処理を行なうことのできる画像データが得られる写真撮影装置について説明を行なう。
【００５２】
図１２は、第２の実施の形態における写真撮影装置の構成の１つを示す図である。図１２に示される写真撮影装置は、図１に示される第１の実施の形態における写真撮影装置の光源４に替えて、被写体９０の前方より被写体９０を照明する光源４１と、被写体９０の背後のカーテン２の後ろから被写体９０を照明する光源４２とを備える。本実施の形態におけるカーテン２は光透過性であり、被写体９０の背景のスクリーンとしての役割を担う。
【００５３】
一般的にスクリーンとしてのカーテンには、行なう画像処理に応じた色彩を施される場合があり、例えば、クロマキー合成を行なう場合には、青色の色彩が施される。しかし、カーテンに施された色彩を残さない、美しい仕上がりの写真を画像処理の結果として得るためには、カーテンに施される色彩は白であることが望ましい。
【００５４】
光源４１および光源４２は、被写体９０およびカーテン２に対して直接照明を行なう光源であってもよいし、反射部８および図１２には図示されないカーテン２の背後に備えられる反射部を用いて、間接的に照明する光源であってもよい。
【００５５】
また、光源４１および光源４２は、ストロボ光源であってもよいし、電灯光源であってもよい。なお、光源４１および光源４２がストロボ光源である場合、第２の実施の形態における制御部５は、同期制御手段を有し、カメラ３の撮影手段に同期して、光源４１および光源４２の照明を行なう。
【００５６】
ところが、カーテン２に白色を施し被写体９０の背景を白色にして、光源４１および光源４２の強い反射光をカメラ３がとらえると、ハレーションなどの現象が引起こされ、被写体９０と背景との境界を抽出することが難しくなる場合がある。特にその現象は、被写体９０の被服が白色である場合に多く見られる。
【００５７】
そこで、本実施の形態において、光源４１は色温度で表わされると５０００Ｋ程度の比較的低温の光を発する光源とし、光源４２は７０００Ｋ程度の比較的高温の光発する光源とする。色温度は、高温であるほど青みがかった光になり、低温であるほど赤みがかった光になる。従って、このように光源４１と光源４２との色温度を異なって設定することで、被写体９０と背景との白色を異なった色合いにとらえることが可能になる。これにより、撮影画像から被写体画像の切り出しを容易に行なうことができる。すなわち、第２の実施の形態においては、上述の光源４１と光源４２とを用いて、被写体９０に対して前後から異なる色温度の照明を当てることで、被写体９０と背景との境界が容易に抽出でき、ユーザの所望する画像処理を行なうことのできる画像データを得る。
【００５８】
以下に、本実施の形態における写真撮影装置のしくみについて具体的に説明を行なう。
【００５９】
本実施の形態において、使用者９が操作部６から指示を入力することでカメラ３で被写体９０を撮影する際、自動的に光源４１および光源４２で、被写体９０に対して前後から照明する。
【００６０】
本実施の形態において光源４１および光源４２が上述の色温度である場合、カメラ３のホワイトバランスを、６０００Ｋ〜７０００Ｋに設定する。すなわち、被写体９０の背後から照明する光源４２の色温度が最高値であるようなホワイトバランスを設定する。このことで、カメラ３で撮影される画像データにおいて、背景となるカーテン２の色は、やや青みがかった真っ白に近い白色となる。また、被写体９０は、やや黄から赤みがかった色となる。例えば、被写体９０が白い肌であった場合や、白い服を着ていた場合など、それらの色はやや黄色になる。なお、制御部５において補正処理を行なうことで、この被写体９０の黄から赤みがかった色を本来の色に戻すことができる。
【００６１】
第２の実施の形態における写真撮影装置が上述の構造を有することで、被写体９０と背景との境界を抽出することができ、そのために、得られた画像データから、被写体９０のみの画像データを抽出することができる。
【００６２】
このことは、写真撮影装置を用いた画像処理の可能性を高めるものである。例えば、被写体９０の画像を抽出した後に、使用者９から入力された指示に応じて、好みの肌の色に画像処理を行なうことができる。これによって、広くユーザの要求を満たす写真を提供することができる。
【００６３】
［変形例］
図１３は、第２の実施の形態の変形例における写真撮影装置の外観の具体例を示す図である。図１３に示される写真撮影装置は、図１に示される筐体１を取外し、被写体９０の背後から見た状態が示される。
【００６４】
図１３を参照して、変形例における写真撮影装置には、図１１に示された写真撮影装置と同様に、縦横方向に放物形状を奏する反射部８が含まれる。
【００６５】
変形例において写真撮影装置が図１３に示される構造を備える場合、光源４１から反射部８に対して発せられる光線は、上述の第１の実施の形態と同様に四方に拡散し、回り込んで被写体９０に当たるため、被写体９０は光源４１から発せられる色温度の光線で、影が写ることなく照らされる。
【００６６】
これによって、背景であるカーテン２との色合いの差がより明確になり、また、被写体９０に影が写ることなく、被写体９０と背景との境界がより抽出し易くなる。このため、さらに広くユーザの要求を満たす写真を提供することができる。
【００６７】
なお、上述の写真撮影装置が行なう写真撮影方法を、プログラムとして提供することもできる。このようなプログラムは、コンピュータ読取り可能なプログラムである。
【００６８】
プログラムは、コンピュータに付属するフレキシブルディスク、ＣＤ−ＲＯＭ、ＲＯＭ、ＲＡＭおよびメモリカードなどの記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６９】
提供されるプログラム製品は、ハードディスクなどのプログラム格納部にインストールされて実行される。
【００７０】
なお、プログラム製品は、プログラム自体と、プログラムが記録された記録媒体とを含む。
【００７１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７２】
【図１】本発明の第１の実施の形態における写真撮影装置の構成の１つを示す図である。
【図２】第１の実施の形態の実施例１における写真撮影装置の具体例を示す概略図である。
【図３】第１の実施の形態の実施例１の変形例における写真撮影装置の具体例を示す概略図である。
【図４】第１の実施の形態の実施例２における写真撮影装置の具体例を示す概略図である。
【図５】図４に示される写真撮影装置の照明の内、左向きの光源をＯＦＦした場合の具体例を示す図である。
【図６】図４に示される写真撮影装置の照明の内、右向きの光源をＯＦＦした場合の具体例を示す図である。
【図７】図４に示される写真撮影装置の照明の内、左向きの光源のみＯＮした場合の具体例を示す図である。
【図８】図４に示される写真撮影装置の照明の内、右向きの光源のみＯＮした場合の具体例を示す図である。
【図９】図４に示される写真撮影装置の照明の内、正面向きの光源のみＯＮした場合の具体例を示す図である。
【図１０】第１の実施の形態の実施例３における写真撮影装置の具体例を示す概略図である。
【図１１】縦横方向に放物形状の反射部８を備える写真撮影装置の概略図である。
【図１２】第２の実施の形態における写真撮影装置の構成の１つを示す図である。
【図１３】第２の実施の形態の変形例における写真撮影装置の外観の具体例を示す図である。
【符号の説明】
【００７３】
１  筐体、２  カーテン、３  カメラ、４，４１，４２  光源、５  制御部、６  操作部、７  表示部、８  反射部、９  ユーザ、１０  遮光板、９０  被写体。
【図１】
2005099818.tif 000003
【図２】
2005099818.tif 000004
【図３】
2005099818.tif 000005
【図４】
2005099818.tif 000006
【図５】
2005099818.tif 000007
【図６】
2005099818.tif 000008
【図７】
2005099818.tif 000009
【図８】
2005099818.tif 000010
【図９】
2005099818.tif 000011
【図１０】
2005099818.tif 000012
【図１１】
2005099818.tif 000013
【図１２】
2005099818.tif 000014
【図１３】
2005099818.tif 000015